(57)【特許請求の範囲】
【請求項１】
用紙ロールが収容される用紙ロール収容部と、
用紙ロール収容部に収容された用紙ロールから引き出されたロール紙に情報を印刷するプリンタ部と該プリンタ部から送り出された情報が印刷されたロール紙をカットするカッタ部とを有するプリンタユニットと、
一端側に、該プリンタ機構部から送り出された情報が印刷されたカット紙を排出する第１のカット紙排出口を有し、反対側の端に、カット紙を排出し、回収箱に収める第２のカット紙排出口を有し、カット紙を第１、第２のカット紙排出口の間で搬送するカット紙搬送機構とを有するカット紙プレゼンタユニットとを有するプリンタ装置において、
用紙ロール収容部とプリンタユニットとが横に並んで配置してあり、
カット紙プレゼンタユニットは、上面側に、上記プリンタ機構部から送り出されたカット紙を受け入れるカット紙受け入れ口を有する構成であり、該カット紙受け入れ口を上記プリンタユニットに合わせて、上記横に並んで配置してある用紙ロール収容部及びプリンタユニットの下側に配置してあり、
上記プリンタ部が上記ロール紙に情報を印刷している最中には、上記カット紙搬送機構は、該ロール紙を上記第２のカット紙排出口から排出させ上記回収箱に収めるように搬送する構成としたことを特徴とするプリンタ装置。
【請求項２】
請求項１記載のプリンタ装置において、
上記カット紙プレゼンタユニットは、その下面側に第３のカット紙排出口を有する構成であり、
上記カット紙搬送機構は、切り換えられて、カット紙を、上記第３のカット紙排出口に案内するカット紙案内切り換え機構を有する構成としたことを特徴とするプリンタ装置。
【請求項３】
請求項１または２記載のプリンタ装置において、
用紙ロール収容部とプリンタユニットとの間に、用紙ロールから引き出されてプリンタユニットに到るロール紙のパスの形状が縮小するように案内して、ロール紙のプリンタユニット内への引き込み負荷を軽減するロール紙引き込み負荷軽減機構を有し、
上記用紙ロール収容部は、上記の用紙ロールを、ロール紙が用紙ロールの下側から引き出されるように、且つ、ロール紙が用紙ロールの下側から引き出される位置が同じくなるように、用紙ロールの径に応じて高さ位置を変えて収容する構成であることを特徴とするプリンタ装置。
【請求項４】
請求項１乃至請求項３のうち何れか一項記載のプリンタ装置において、
上記用紙ロール収容部は、一端が自由端であり、用紙ロールの中心孔を嵌合して支持する水平の支持軸を有する構成であり、
上記用紙ロールが側面側から収容される構成であることを特徴とするプリンタ装置。
【請求項５】
請求項１乃至請求項４のうち何れか一項記載のプリンタ装置において、
上記用紙ロールは、感熱ロール紙が感熱面を外側面となるように巻いてある構成である感熱用紙ロールであり、
上記用紙ロール収容部は、上記の感熱用紙ロールを、感熱ロール紙が感熱用紙ロールの下側から引き出されるように収容する構成であり、
上記プリンタユニットのプリンタ部は、用紙ロール収容部内の感熱用紙ロールから引き出された感熱ロール紙の感熱面が対向するサーマルヘッドと、感熱面とは反対側の面に当接するプラテンローラとを有する構成であることを特徴とするプリンタ装置。
【請求項６】
請求項１乃至請求項５のうち何れか一項記載のプリンタ装置を組み込んでなる構成としてなることを特徴とする端末装置。
【発明の詳細な説明】
【０００１】
【発明の属する技術分野】
本発明はプリンタ装置に係り、特に銀行のＡＴＭ(Automatic Tellers Machine)装置、Ｃ／Ｄ(Cash Dispenser)装置、及びＫＩＯＳＫの端末装置等に組み込まれて使用されるレシート及びチケット等を発行するプリンタ装置に関する。
【０００２】
レシート発行プリンタ装置は、印字用紙として感熱のロール紙を使用する構成である。特に、無人のＡＴＭ装置等に組み込まれる場合には、レシート発行プリンタ装置は、レシートが次に訪れた客に分からないようにするために、客が取り忘れたレシートについては回収を行うプレゼンタユニットを備えた構成となっている。
【０００３】
設置スペースの点からＡＴＭ装置等については、小型化が求められている。よて、ＡＴＭ装置等に組み込まれるレシート発行プリンタ装置は小型化が求められている。
【０００４】
なお、レシート発行プリンタ装置は、印字を行って最後にカットしてレシートを作成するレシート作成モードと、レシートを客に提供するために排出するレシート排出モードと、客がレシートを取り忘れた場合に、排出されたままとなっているレシートを回収するレシート回収モードとを有する。ここで、印字を行いつつ排出を行うと、印字が依然として行われているときに、客がレシートを引っ張る操作を行うことが起こり、不都合である。よって、レシート排出モードは、印字が完了したのちに開始される。
【０００５】
【従来の技術】
図１は従来の１例のレシート発行プリンタ装置１０を示す。Ｘ１−Ｘ２は長さ方向、Ｚ１−Ｚ２は高さ方向である。プリンタ装置１０は、Ｘ２側からＸ１の方向に、用紙ロール収容部１１、プリンタ部とカッタ部とを有するプリンタユニット１２、プレゼンタユニット１３とが並んでいる構成である。プレゼンタユニット１３は、Ｘ２側に開口１４を有し、Ｘ１側にレシート排出口１５を有する。開口１４はレシートを受け入れる口及びレシート排出口としての役割を有する。
【０００６】
このレシート発行プリンタ装置１０は、図１に示すように、ＡＴＭ装置本体２０の内部に組み込まれている。レシート排出口１５がレシート発行口２１に対向している。また、開口１４の箇所には、レシート回収箱２２が設けてある。また、用紙ロール３０が用紙ロール収容部１１内にセットされている。
【０００７】
プリンタ装置１０は、以下のように動作する。
［レシート作成モード］
プリンタユニット１２が、用紙ロール３０からロール紙３１を引き出しつつ、ロール紙３１に印字を行い、印字が終了すると、ロール紙３１をカットする。これによって、レシート３５が作成される。作成されつつあるレシートは、その先端側から開口１４を通ってプレゼンタユニット１３内に入って、レシート排出口１５に向かって進む。なお、印字が行われている間は、プレゼンタユニット１３は低速度で動作しており、プリンタユニット１２から送り出されたロール紙３１を引っ張ることなく、即ち、プリンタユニット１２に影響を及ぼさないでＸ１方向に送る。
［レシート排出モード］
印字が終了すると、プレゼンタユニット１３は所定の速度で動作し、レシート３５をＸ１方向に搬送し、図１に示すように、後端部を除いてレシート排出口１５及びレシート発行口２１から突き出させて、排出を完了する。
［レシート回収モード］
客がレシート３５を取り忘れて、排出が完了したのち所定時間経過しても、レシート３５がレシート発行口２１に留まっている場合には、プレゼンタユニット１３が逆方向に動作し、レシート３５をＸ２方向に搬送させ、レシート発行口２１内に引き込んで搬送し、開口１４より排出させて、レシート回収箱２２内に回収する。
【０００８】
【発明が解決しようとする課題】
プリンタ装置１０は、Ｘ２側からＸ１の方向に、用紙ロール収容部１１、プリンタユニット１２、プレゼンタユニット１３が並んでいる構成であるため、高さＨ１は低いけれども、長さＬ１が長くなっている。
【０００９】
ここで、プレゼンタユニット１３がプリンタユニット１２の横に並んでいるため、発行するレシート３５の長さは、プレゼンタユニット１３の長さＬ２によって決まってしまう。即ち、発行するレシート３５の最大の長さは、プレゼンタユニット１３の長さＬ２に対応する長さとなる。発行するレシート３５の最大の長さを長くしようとすると、プレゼンタユニット１３の長さＬ２を長くすることが必要となる。プレゼンタユニット１３の長さＬ２を長くすると、プリンタ装置１０の長さＬ１が更に長くなって、嵩張るものとなってしまう。
【００１０】
また、プリンタ装置１０がＡＴＭ装置内に組み込まれるときの向きは、図１に示す向きに限定されてしまい、自由度はない。プリンタ装置１０が図１に示す向きで組み込まれると、ＡＴＭ装置本体２０も奥行きの寸法Ｌ３が大きくなってしまっていた。
【００１１】
また、用紙ロール収容部１１は、用紙ロール３０を上方から受け入れる構成である。よって、用紙ロール３０は、ＡＴＭ装置本体２０の天板２２を開いて、上方から用紙ロール収容部１１内にセットすることになり、ＡＴＭ装置本体２０の上方に用紙ロール３０をセットする作業を行うための空間Ｓを空けておく必要があった。なお、空間ＳもＡＴＭ装置本体２０内に含めた構成とすると、ＡＴＭ装置本体２０の高さ寸法が高くなってしまう。
【００１２】
そこで、本発明は上記課題を解決したプリンタ装置を提供することを目的とする。
【００１３】
【課題を解決するための手段】
請求項１の発明は、用紙ロールが収容される用紙ロール収容部と、用紙ロール収容部に収容された用紙ロールから引き出されたロール紙に情報を印刷するプリンタ部と該プリンタ部から送り出された情報が印刷されたロール紙をカットするカッタ部とを有するプリンタユニットと、一端側に、該プリンタ機構部から送り出された情報が印刷されたカット紙を排出する第１のカット紙排出口を有し、反対側の端に、カット紙を排出し、回収箱に収める第２のカット紙排出口を有し、カット紙を第１、第２のカット紙排出口の間で搬送するカット紙搬送機構とを有するカット紙プレゼンタユニットとを有するプリンタ装置において、用紙ロール収容部とプリンタユニットとが横に並んで配置してあり、カット紙プレゼンタユニットは、上面側に、上記プリンタ機構部から送り出されたカット紙を受け入れるカット紙受け入れ口を有する構成であり、該カット紙受け入れ口を上記プリンタユニットに合わせて、上記横に並んで配置してある用紙ロール収容部及びプリンタユニットの下側に配置してあり、上記プリンタ部が上記ロール紙に情報を印刷している最中には、上記カット紙搬送機構は、該ロール紙を上記第２のカット紙排出口から排出させ上記回収箱に収めるように搬送する構成としたものである。
【００１４】
カット紙プレゼンタユニットが横に並んで配置してある用紙ロール収容部及びプリンタユニットの下側に配置されたことによって、用紙ロール収容部とプリンタユニットとカット紙プレゼンタユニットとが一列に横に並んだ構成に比べて、プリンタ装置は、高さは増えるけれども、長さが相当に短くなって、全体として小型となる。また、カット紙の長さがカット紙プレゼンタユニットの長さによって制約を受けなくなり、自由に長いカット紙を発行することが可能となる。
【００１５】
なお、カット紙プレゼンタユニットがその上面側にカット紙受け入れ口を有する構成であることによって、用紙ロール収容部及びプリンタユニットの下側に配置することが可能となる。
【００１６】
また、カット紙プレゼンタユニットが横に並んで配置してある用紙ロール収容部及びプリンタユニットの下側に配置されたことによって、第１、第２のカット紙排出口のうち任意の一つを外部への排出口、他方を回収箱への排出口とすることが可能となり、プリンタ装置の端末装置内への組み込みが、二つの姿勢で可能となり、端末装置の設計の自由度が上がる。
【００１７】
請求項２の発明は、請求項１記載のプリンタ装置において、カット紙プレゼンタユニットは、その下面側に第３のカット紙排出口を有する構成であり、カット紙搬送機構は、切り換えられて、カット紙を、上記第３のカット紙排出口に案内するカット紙案内切り換え機構を有する構成としたものであるため、第１、第２、第３のカット紙排出口のうち任意の一つを外部への排出口、他方を回収箱への排出口とすることが可能となり、プリンタ装置の端末装置内への組み込みが、三つの姿勢で可能となり、端末装置の設計の自由度が更に上がる。
【００１８】
請求項３の発明は、請求項１または２記載のプリンタ装置において、用紙ロール収容部とプリンタユニットとの間に、用紙ロールから引き出されてプリンタユニットに到るロール紙のパスの形状が縮小するように案内して、ロール紙のプリンタユニット内への引き込み負荷を軽減するロール紙引き込み負荷軽減機構を有し、且つ、用紙ロール収容部は、用紙ロールを、ロール紙が用紙ロールの下側から引き出されるように、且つ、ロール紙が用紙ロールの下側から引き出される位置が同じくなるように、用紙ロールの径に応じて高さ位置を変えて収容する構成であるようにしたものである。
【００１９】
用紙ロール収容部には、用紙ロールがそのロール紙が用紙ロールの下側から引き出されるように、且つ、大径の用紙ロール及び小径の用紙ロールが、ロール紙が用紙ロールの下側から引き出される位置が同じくなるように、用紙ロールの径に応じて高さ位置を変えて収容される構成であるため、収容された用紙ロールから引き出されたロール紙のロール紙引き込み負荷軽減機構に対する角度が、大径の用紙ロール収容した場合と、小径の用紙ロールを収容した場合とで略同じとなる。よって、収容する用紙ロールの大きさによってロール紙引き込み負荷軽減機構の位置を調整する作業は必要でなくなり、取り扱いが簡単となる。しかも、どの大きさの用紙ロールが収容された場合でも、ロール紙引き込み負荷軽減機構は同様に動作し、ロール紙のプリンタ部への送りは安定して行われる。
【００２０】
請求項４の発明は、請求項１記載のプリンタ装置において、用紙ロール収容部は、一端が自由端であり、用紙ロールの中心孔を嵌合して支持する水平の支持軸を有する構成であり、用紙ロールが側面側から収容される構成としたものである。
【００２１】
用紙ロールがプリンタ装置の側面側から用紙ロール収容部にセット可能となり、端末装置は上面側に用紙ロールをプリンタ装置にセットする作業を行うための部分が必要でなくなり、高さを低く出来る。
【００２２】
請求項５の発明は、請求項１乃至請求項４のうち何れか一項記載のプリンタ装置において、上記用紙ロールは、感熱ロール紙が感熱面を外側面となるように巻いてある構成である感熱用紙ロールであり、且つ、上記用紙ロール収容部は、上記の感熱用紙ロールを、感熱ロール紙が感熱用紙ロールの下側から引き出されるように収容する構成であり、且つ、上記プリンタユニットのプリンタ部は、用紙ロール収容部内の感熱用紙ロールから引き出された感熱ロール紙の感熱面が対向するサーマルヘッドと、感熱面とは反対側の面に当接するプラテンローラとを有する構成であるようにしたものである。
【００２３】
感熱用紙ロールから引き出された感熱ロール紙のカールのプリンタ部に対する状態は、感熱ロール紙の先端がサーマルヘッドから逃げる方向となる。よって、感熱ロール紙の先端のサーマルヘッドとプラテンローラとの間への挿入は容易となる。
【００２４】
請求項６の発明は、請求項１乃至請求項５のうち何れか一項記載のプリンタ装置を組み込んでなる構成としてなるものである。
【００２５】
従来に比べて小型である端末装置が実現可能となる。また、端末装置の設計の自由度が高くなる。
【００２６】
【発明の実施の形態】
図２、図３及び図５は本発明の一実施例になるレシート発行ラインサーマルプリンタ装置４０を示す。Ｘ１−Ｘ２は長さ方向、Ｙ１−Ｙ２は幅方向、Ｚ１−Ｚ２は高さ方向である。用紙ロール収容部５０とプリンタユニット６０とがＸ１−Ｘ２方向に横に並んで配置してある。プレゼンタユニット８０は、用紙ロール収容部５０及びプリンタユニット６０の下側に、そのレシート（カット紙）受け入れ口８１をプリンタユニット６０のレシート送り出し口６８に対向させて設けてあり、Ｘ１−Ｘ２方向に延在している。幅方向上の両側フレーム４１，４２が、用紙ロール収容部５０、プリンタユニット６０及びプレゼンタユニット８０を上記の位置関係に保持している。
【００２７】
用紙ロール収容部５０は、フレームに固定してある水平の用紙ロール支持軸５１を有する構成であり、感熱用紙ロール１３０はＹ２側から用紙ロール支持軸５１に嵌合させてセットされる構成である。
【００２８】
プリンタユニット６０は、プリンタ部６１と、この下側のカッタ部６５とを有する。プリンタ部６１は、上面にロール紙受け入れ口６１ａを有し、内部に、プラテンローラ６２と、サーマルヘッド６３と、用紙送りモータ６４とを有する。カッタ部６５は、カッタ刃６６と、このカッタ刃６６を移動させるモータ６７とを有する。レシート送り出し口６８は、カッタ部６５の下面に設けてある。
【００２９】
６９はロール紙引き込み負荷軽減機構であり、用紙ロール収容部５０とプリンタユニット６０との間に設けてある。
【００３０】
プレゼンタユニット８０は、図５に併せて示すように、一つのレシート受け入れ口８１と、三つのレシート排出口８２、８３，８４を有する。三つのレシート排出口８２、８３，８４は、Ｘ１側、Ｘ２側、Ｚ２側に一つずつ設けてある。
【００３１】
レシート受け入れ口８１は、上面のうちＸ１端の近傍に設けてある。レシート受け入れ口８１からＺ２とＸ２との間の方向（斜め下方向）にレシートガイド部８５が延びている。
【００３２】
第１のレシート排出口８２は、Ｘ１端に設けてある。第２のレシート排出口８３は、Ｘ２端に設けてある。第３のレシート排出口８４は、下面のうちＸ１端の近傍に設けてある。第１のレシート排出口８２と第３のレシート排出口８４とは近接している。
【００３３】
８６は第１のレシート搬送ベルトであり、モータ８７によって駆動される駆動ローラ８８とローラ８９との間に掛け渡されてＸ１−Ｘ２方向に長いループを有し、カット紙ガイド部８５と第２のカット紙排出口８３との間に延在している。９０は中間のローラ、９１はテンションローラである。
【００３４】
９５は第２のレシート搬送ベルトであり、駆動ローラ８８によってギヤ駆動されるローラ９６とローラ９７との間に掛け渡してあり、上記の駆動ローラ８８と第１のレシート排出口８２との間に延在している。第２のレシート搬送ベルト９５は、第１のレシート搬送ベルト８６のＸ１端に続いて、更にＸ１方向に延びている。第２のレシート搬送ベルト９５は、レシートガイド部８５の出口８５ａに対向している。
【００３５】
１００はレシートガイドであり、第１のレシート搬送ベルト８６の下側のパス８６ａに沿って、且つ、第２のレシート搬送ベルト９５の上側のパスに沿って、第１のレシート排出口８２と第２のレシート排出口８３との間に延在している。
【００３６】
１０１はローラであり、ローラ９７の上側に位置しており、第２のレシート搬送ベルト９５に当たっている。ローラ１０１とローラ９７の周囲の第２のレシート搬送ベルト９５とが、第１のレシート排出口８２又は第３のレシート排出口８４から排出されたレシートの終端部を挟んで保持するレシート挟み部１０２を構成する。
【００３７】
１０３はローラであり、ローラ８９の下側に位置しており、第１のレシート搬送ベルト８６に当たっている。ローラ１０３とローラ８９の周囲の第１のレシート搬送ベルト８６とが、第２のレシート排出口８３から排出されたレシートの終端部を挟んで保持するレシート挟み部１０４を構成する。
【００３８】
１０５はローラであり、中間のローラ９０の下側に位置しており、ローラ９０に案内されている第１のレシート搬送ベルト８６に当たっている。
【００３９】
１０６、１０７，１０８は光学式のレシート検出センサであり、レシート挟み部１０２の箇所、レシート挟み部１０４のＸ１側の箇所、駆動ローラ８８のＸ２側の位置に設けてある。
【００４０】
上記の第１のレシート搬送ベルト８６、第２のレシート搬送ベルト９５、レシートガイド１００、及び後述するレシート案内切り換え機構１１０が、カット紙搬送機構を構成する。
【００４１】
第１のレシート排出口８２と第３のレシート排出口８４の箇所には、図６（Ａ）に示すレシート案内切り換え機構１１０が設けてある。レシート案内切り換え機構１１０は、軸１１１を中心に回動可能に支持されているガイド部材１１２と、ガイド部材１１２を回動させるプランジャ１１３とよりなる。ガイド部材１１２は、略平らのガイド面１１２ａと、凹状の円弧状のガイド面１１２ｂとを有する。
【００４２】
プランジャ１１３がオフである状態では、ロッド１１４がばね（図示せず）によって突き出ており、ガイド部材１１２は時計方向に回動しており、図６（Ａ）に示すように、第１のレシート排出口８２が塞がれており、第３のレシート排出口８４が開いている状態である。ガイド面１１２ｂがレシートを案内する状態にある。
【００４３】
プランジャ１１３がオンとされると、ロッド１１４が吸引され、ガイド部材１１２は反時計方向に回動されて、図６（Ｂ）に示すように、第３のレシート排出口８４が塞がれて、第１のレシート排出口８２が開かれた状態となる。ガイド面１１２ａがレシートを案内する状態となる。
【００４４】
なお、プランジャ１１３が故障したときには、レシート案内切り換え機構１１０は上記のプランジャ１１３がオフであるときと同じ状態になり、後述するレシート排出動作が行われても、レシートが第１のレシート排出口８２から排出されることが制限されるようになっている。
【００４５】
以上が、レシート発行プリンタ装置４０の構成である。
【００４６】
レシート発行プリンタ装置４０は、用紙ロール収容部５０とプリンタユニット６０とがＸ１−Ｘ２方向に横に並んで配置してあり、プレゼンタユニット８０が用紙ロール収容部５０及びプリンタユニット６０の下側に、Ｘ１−Ｘ２方向に延在して設けてある構成であり、且つ、プレゼンタユニット８０の長さＬ１０は用紙ロール収容部５０とプリンタユニット６０とを合わせた長さＬ１１と略同じであるため、高さＨ１０は図１に示す従来のプリンタ装置１０の高さＨ１に比べて少しは高くなるけれども、長さＬ２０は図１に示すプリンタ装置１０の長さＬ１に比べて約半分の長さとなっており、図１に示す従来のプリンタ装置１０に比べて小型となっている。よって、レシート発行プリンタ装置４０が内部に組み込まれているＡＴＭ装置本体１２０は、その奥行きの寸法Ｌ３０も短いものとなっている。
【００４７】
また、プレゼンタユニット８０が用紙ロール収容部５０及びプリンタユニット６０の下側に配置してあるため、発行できるレシートの長さがプレゼンタユニット８０の長さによって制限を受けないようになっている。
【００４８】
上記レシート発行プリンタ装置４０は三つのレシート排出口８２、８３，８４をＸ１側、Ｘ２側、Ｚ２側に一つずつ設けてある構成であるため、レシート発行プリンタ装置４０はＡＴＭ装置本体１２０内に、図７（Ａ）乃至（Ｃ）に示す三つの態様のうちから選択した一つの態様で組み込むことが可能となる。
【００４９】
図７（Ａ）は、第１の態様であり、レシート発行プリンタ装置４０は図１乃至図３に示す姿勢で組み込まれており、第１のレシート排出口８２がＡＴＭ装置本体１２０のレシート発行口１２１に対向している。
【００５０】
ＡＴＭ装置本体１２０の内部には、第２のレシート排出口８３の位置にレシート回収箱１２２が設けてあり、第３のレシート排出口８４の位置にレシート回収箱１２３が設けてある。
【００５１】
レシート発行プリンタ装置４０の制御設定回路は、図１２（Ａ）に示すように、第１のレシート排出口８２がレシート排出に利用され、第２のレシート排出口８３が基本的にはレシート回収に利用され、第３のレシート排出口８４が基本的にはレシート回収に利用さるように設定される。なお、第２のレシート排出口８３はレシート排出に利用されるようにも設定される。第３のレシート排出口８４はレシート排出に利用されるようにも設定される。場合によっては、第２のレシート排出口８３はレシート排出にもレシート回収にも利用されないようにも設定される。同じく、第３のレシート排出口８４が、レシート排出にもレシート回収にも利用されないようにも設定される。
【００５２】
よって、レシート発行プリンタ装置４０は、図１２（Ａ）に示すように、６つのパターンに設定が可能である。
【００５３】
図７（Ｂ）は、第２の態様であり、レシート発行プリンタ装置４０は図１乃至図３に示す姿勢とはＸ１側とＸ２側とを逆にした姿勢で組み込まれており、第２のレシート排出口８３がＡＴＭ装置本体１２０Ａのレシート発行口１２１Ａに対向している。
【００５４】
ＡＴＭ装置本体１２０Ａの内部には、第１のレシート排出口８２の位置にレシート回収箱１２４が設けてあり、第３のレシート排出口８４の位置にレシート回収箱１２５が設けてある。
【００５５】
この場合には、レシート発行プリンタ装置４０の制御設定回路は、図１２（Ｂ）に示すように、第２のレシート排出口８３がレシート排出に利用され、第１のレシート排出口８２が基本的にはレシート回収に利用され、第３のレシート排出口８４が基本的にはレシート回収に利用さるように設定される。なお、第１のレシート排出口８２はレシート排出に利用されるようにも設定される。第３のレシート排出口８４はレシート排出に利用されるようにも設定される。場合によっては、第１のレシート排出口８２はレシート排出にもレシート回収にも利用されないようにも設定される。同じく、第３のレシート排出口８４が、レシート排出にもレシート回収にも利用されないようにも設定される。
【００５６】
よって、レシート発行プリンタ装置４０は、図１２（Ｂ）に示すように、６つのパターンに設定が可能である。
【００５７】
図７（Ｃ）は、第３の態様であり、レシート発行プリンタ装置４０は図１乃至図３中、Ｘ１側を上側にして立てた姿勢で組み込まれており、第３のレシート排出口８３がＡＴＭ装置本体１２０Ｂのレシート発行口１２１Ｂに対向している。
【００５８】
ＡＴＭ装置本体１２０Ｂの内部には、第２のレシート排出口８３の位置にレシート回収箱１２６が設けてあり、第１のレシート排出口８２の位置にレシート回収箱１２７が設けてある。
【００５９】
この場合には、レシート発行プリンタ装置４０の制御設定回路は、図１２（Ｃ）に示すように、第３のレシート排出口８４がレシート排出に利用され、第１のレシート排出口８２が基本的にはレシート回収に利用され、第２のレシート排出口８３が基本的にはレシート回収に利用さるように設定される。なお、第１のレシート排出口８２はレシート排出に利用されるようにも設定される。第２のレシート排出口８３はレシート排出に利用されるようにも設定される。場合によっては、第１のレシート排出口８２はレシート排出にもレシート回収にも利用されないようにも設定される。同じく、第２のレシート排出口８３が、レシート排出にもレシート回収にも利用されないようにも設定される。
【００６０】
よって、レシート発行プリンタ装置４０は、図１２（Ｃ）に示すように、６つのパターンに設定が可能である。
【００６１】
このように、レシート発行プリンタ装置４０は、ＡＴＭ装置本体の外形等に合わせて組み込まれる。よって、ＡＴＭ装置の設計の自由度が高くなり、ＡＴＭ装置の設計がし易くなる。
【００６２】
次に、レシート発行プリンタ装置４０が図７（Ａ）に示す第１の態様でＡＴＭ装置本体１２０内に組み込まれている場合のプリンタ装置４０の動作について、図８及び図９を参照して説明する。
【００６３】
用紙ロール１３０が用紙ロール収容部５０内にセットされている状態で、プリンタ装置４０は、以下のように動作する。用紙ロール１３０は感熱面が外を向いているロールである。
［レシート作成モード］（図８（Ａ））
プリンタ部６１が、用紙ロール１３０から感熱ロール紙１３１を引き出しつつ、ロール紙１３１に印字を行う。印字が終了すると、カッタ部６５が動作して、ロール紙１３１をカットする。これによって、レシート１３５が作成される。なお、このレシート１３５及び後述するチケット等がカット紙を構成する。作成されつつあるレシートは、その先端１３５ａ側からレシート受け入れ口８１を通ってプレゼンタユニット８０内に入り、レシートガイド部８５内をＸ２方向の斜め下方向に向かって進み、第２のレシート搬送ベルト９５上に到る。
【００６４】
このとき、モータ８７は低速で正転駆動しており、第１のレシート搬送ベルト８６及び第２のレシート搬送ベルト９５はレシートをＸ２方向に移動させるように走行している。レシート１３５は、最初に第２のレシート搬送ベルト９５によって、続いて、レシートガイド１００上を第１のレシート搬送ベルト８６によってＸ２方向に低速度で、プリンタユニット６０から送り出されたロール紙１３１を引っ張ることなく、即ち、プリンタユニット６０に影響を及ぼさないＸ２方向に送る。レシートの先端は第２のレシート排出口８３から出てレシート回収箱１２２内に入り込み、ここに留まり、レシートは波状又はジグザグ状となってレシート回収箱１２２内に収まる。よって、レシートの先端がどこまで進んでも問題は無く、レシートの長さの制限は無くなり、印字の行数に制限の無いレシートが発行される。
【００６５】
プランジャ１１３はオフであり、レシート案内切り換え機構１１０は図６（Ａ）に示す状態にあり、第１のレシート排出口８２は塞がれている。
［レシート搬送モード］（図８（Ｂ））
印字が終了して、ロール紙１３１がカットされると、モータ８７が通常の速度で正転され、レシート１３５は、印字された面１３５ｃが上面とされた姿勢で、プレゼンタユニット８０内をＸ２方向に搬送される。レシート１３５は、その終端部１３５ｂがレシート検出センサ１０７によって検出されるまで搬送される。
［レシート排出モード］（図８（Ｃ））
プランジャ１１３がオンとされ、レシート案内切り換え機構１１０は図６（Ｂ）に示す状態とされ、第１のレシート排出口８２が開かれる。第３のレシート排出口８４は塞がれる。
【００６６】
モータ８７が通常の速度で逆転され、第１のレシート搬送ベルト８６及び第２のレシート搬送ベルト９５はレシートをＸ１方向に移動させるように走行される。
【００６７】
レシート１３５は、最初にレシートガイド１００上を第１のレシート搬送ベルト８６によって、続いて、第２のレシート搬送ベルト９５によって、Ｘ１方向に搬送され、レシート１３５は端１３５ｂ側から第１のレシート排出口８２を通ってレシート発行口１２１から突き出される。レシート検出センサ１０６がレシート１３５の端１３５ａを検出すると、モータ８７が停止される。
【００６８】
レシート１３５は、端１３５ａの部分をレシート挟み部１０２によって挟まれた状態で、レシート発行口１２１から突き出して排出された状態となる。レシート１３５は、図３に示すように、印字部分１３６が上面となって、客が印字された内容を見ることができる姿勢（この姿勢を正順の状態という）で、排出される。
［レシート回収モード］（図８（Ｄ））
客がレシート１３５を取り忘れて、排出が完了したのち所定時間Ｔ１経過しても、レシート１３５が第１のレシート排出口８２に留まっている場合には、モータ８７が始動して通常の速度で正転され、第１のレシート搬送ベルト８６及び第２のレシート搬送ベルト９５が逆方向に動作する。これによって、レシート１３５がＸ１方向に搬送され、レシート発行口１２１内に引き込んで、第２のレシート排出口８３から排出させて、レシート回収箱１２２内に送り出されて、レシート回収箱１２２内に回収される。
【００６９】
レシート回収箱１２２が回収されたレシートで一杯となった場合には、モータ８７が始動して一時的に正転させた後に、続いて逆転させる。また、プランジャ１１３をオフとして、レシート案内切り換え機構１１０を図６（Ａ）に示す状態として、第１のレシート排出口８２が塞いで、第３のレシート排出口８４を開く。これによって、レシートは、レシート発行口１２１内に引き込まれた後に、第３のレシート排出口８４を通って排出されて、レシート回収箱１２３内に回収される。
【００７０】
なお、レシート発行プリンタ装置４０がＡＴＭ装置本体内に図７（Ｂ）に示す状態又は図７（Ｃ）に示す状態で組み込まれている場合でも、レシート発行プリンタ装置４０は、上記の場合と同様に、レシート作成モード→レシート搬送モード→レシート排出モード→レシート回収モードの順で動作する。
【００７１】
図７（Ｂ）に示すＡＴＭ装置においては、レシート搬送モードでは、レシートはレシート排出口８２又は８４より出るように搬送される。レシート搬送モード→レシート排出モードでは、レシートはレシート排出口８３より出るように搬送される。レシート回収モードでは、レシートはレシート排出口８２より出てレシート回収箱１２４内に回収され、或いは、レシート排出口８４より出てレシート回収箱１２５内に回収される。
【００７２】
図７（Ｃ）に示すＡＴＭ装置においては、レシート搬送モードでは、レシートはレシート排出口８３より出るように搬送される。レシート搬送モード→レシート排出モードでは、レシートはレシート排出口８４より出るように搬送される。レシート回収モードでは、レシートはレシート排出口８３より出てレシート回収箱１２６内に回収され、或いは、レシート排出口８２より出てレシート回収箱１２７内に回収される。
【００７３】
レシートの代わりにチケットを発行する場合でも、チケットの排出及び回収の動作は上記と同様である。カット紙は、レシート及びチケット等を含む概念である。
【００７４】
次に、レシート発行プリンタ装置４０のうち上記で説明していない部分について説明する。
【００７５】
［用紙ロール収容部５０］
図２、図３及び図１０に示すように、用紙ロール収容部５０は、フレーム５２にねじ５３によって固定してある水平の用紙ロール支持軸５１を有し、且つ、フレーム５２に軸５５によってヒンジ結合してある支えアーム５４を有する。用紙ロール支持軸５１は付け替え可能であり、先端にピン部５１ａを有する。支えアーム５４は、用紙ロールをセットするに際して、倒される。
【００７６】
用紙ロール１３０は、用紙ロール収容部５０のＹ２側より、Ｙ１方向に移動させて、中心孔１３０ａを用紙ロール支持軸５１に嵌合させて、用紙ロール収容空間５６に収め、アーム５４を立ち上げて、孔５４ａをピン部５１ａに嵌合させ、用紙ロール支持軸５１の先端を支え、用紙ロール収容空間５６のＹ２側を一部塞ぐことによって、用紙ロール収容部５０内にセットされる。用紙ロール支持軸５１は両端を支持されて安定した状態となり、用紙ロール１３０は安定に支持される。
【００７７】
小径の用紙ロール１４０を使用する場合には、二点鎖線で示すように、用紙ロール支持軸５１を付け替えて、低い位置に固定する。この状態で、用紙ロール１４０は、上記と同様にして用紙ロール収容部５０内にセットされる。孔５４ｂがピン部５１ａに嵌合する。
【００７８】
用紙ロール１３０、１４０は、用紙ロール収容部５０のＹ２側（側面側）からセットされるため、用紙ロール収容部５０の上方に用紙ロールをセットする作業のための空間は必要でなくなる。
【００７９】
ＡＴＭ装置の外形寸法は、用紙ロールをセットするための作業の空間を含めたものとなる。用紙ロールを上方からセットする場合には、ＡＴＭ装置は高さが高くなってしまい、好ましくない。用紙ロールを側方からセットする場合には、ＡＴＭ装置は、横幅は増えるけれども、高さが増えず、好ましい。一般的に、ＡＴＭ装置を建物内に設置した状態での側面側と上面側とを比べた場合に、上面側に比べて側面側の方に余裕を有するからである。
【００８０】
［用紙ロール収容部５０とプリンタ部６１との関係］
ロール紙１３１は用紙ロール１３０の下側から斜め上方に引き出され、ロール紙引き込み負荷軽減機構６９によって案内され、その後、下向きとされて、プリンタ部６１内に入り、プラテンローラ６２とサーマルヘッド６３との間に到る。
【００８１】
図２に示すように、ロール紙１３１の先端側１３１ａのカールの方向は、用紙ロール１３０側から見て、反時計方向である。
【００８２】
用紙ロール１３０は感熱面が外を向いているロールであり、プラテンローラ６２とサーマルヘッド６３とは、サーマルヘッド６３がＸ２側、プラテンローラ６２がＸ１側の配置である。
【００８３】
上側からプリンタ部６１内に入ってきたロール紙１３１の先端側のカールの方向は、サーマルヘッド６３から逃げる方向となり、よって、ロール紙の先端側のカールの方向がサーマルヘッドの面に向かう方向である場合に比べて、プラテンローラ６２とサーマルヘッド６３との間に円滑に挿入される。
【００８４】
ここで、ロール紙を用紙ロールの上側から斜め下方向に引き出した場合には、用紙ロールからプリンタ部に到るロール紙のために、図２中、符号１５０で示す空間が必要となる。
【００８５】
しかし、本実施例では、ロール紙１３１は用紙ロール１３０の下側から斜め上方に引き出され、その後、下向きとされてプリンタ部６１内に入る構成であるため、ロール紙が用紙ロールの上側から斜め下方向に引き出される構成に比べて、上記の符号１５０で示す空間が不要となり、レシート発行プリンタ装置４０はその分、小型となる。
【００８６】
［ロール紙引き込み負荷軽減機構６９］
図１１（Ａ）はロール紙引き込み付加軽減機構６９を示す。アーム１６０は、軸１６１によって、プリンタユニット６０に回動可能に支持されており、先端にローラ１６２を有する。アーム１６０はばね１６３によって反時計方向に回動されている。ローラ１６２は用紙ロール１３０の下側から斜め上方に引き出されたロール紙１３１を案内する。ロール紙１３１は、Ｐ１−Ｐ２−Ｐ３の逆Ｖ字形状のパス１７０を形成する。アーム１６０が時計方向に回動されて、ローラ１６２がＸ１方向に移動されると、パス１７０の形状が縮小されて、図１１（Ｂ）に示すＰ１−Ｐ２ａ−Ｐ３のパス１７１となる。
【００８７】
ここで、ばね１６３の強さは、印字が開始されてプリンタユニット６０がロール紙１３１を引き込むと、アーム１６０が図１１（Ｂ）に示すように時計方向に回動され、印字が終了してプリンタユニット６０によるロール紙１３１の引き込みが停止すると、アーム１６０を図１１（Ｃ）に示すように反時計方向に回動させるように定めてある。
【００８８】
印字が開始されてプリンタユニット６０がロール紙１３１を引き込みを開始すると、アーム１６０がばね１６３に抗して時計方向に回動され、ローラ１６２がＸ１方向に移動してパス１７０の長さが短くなる。よって、印字の開始時には、用紙ロール１３０は停止したままで、パスが縮小されて、パス１７０を形成していたロール紙１３１がプリンタユニット６０内に引き込まれる。よって、モータ６４の始動時にモータ６４にかかる負荷が軽減され、モータ６４は円滑に始動する。アーム１６０は最大で図１１（Ｂ）に示す位置まで回動される。
【００８９】
アーム１６０が図１１（Ｂ）に示す位置まで回動された後は、ロール紙１３１は用紙ロール１３０を反時計方向に回動させつつプリンタユニット６０内に送り込まれる。この時点では、モータ６４は回転しており、負荷が増えても安定して回転を継続し、ロール紙１３１は安定して送られる。
【００９０】
よって、ロール紙１３１への印字は、所定のピッチで安定に行われる。
【００９１】
印字が終了してプリンタユニット６０によるロール紙１３１の引き込みが停止すると、アーム１６０が図１１（Ｃ）に示すように反時計方向に回動される。アーム１６０の回動は、ロール紙１３１を用紙ロール１３０から引き出して行われる。用紙ロール１３０が余分に回動され、ロール紙１３１のパスは、符号１７２で示すように、若干弛んだ状態となる。
【００９２】
図１１（Ａ）に示すように、用紙ロール１３０の下側から斜め上方に引き出されてローラ１６２に到るロール紙１３１のアーム１６０の軸線１６０ａに対する角度θ１である。
【００９３】
小径の用紙ロール１４０の場合には低い位置に固定されるため、ロール紙１４１が用紙ロール１４０から引き出される位置Ｐ１０は、ロール紙１３１が用紙ロール１３０から引き出される位置Ｐ１に近い。よって、用紙ロール１４０の下側から斜め上方に引き出されてローラ１６２に到るロール紙１４１のアーム１６０の軸線１６０ａに対する角度θ２は、上記の角度θ１に近い。
【００９４】
このため、ロール紙引き込み付加軽減機構６９は、小径の用紙ロール１４０を使用する場合でも、大径の用紙ロール１３０を使用する場合と同様に動作し、ロール紙１４１は安定して送られ、ロール紙１４１への印字は安定に行われる。
【００９５】
また、上記の角度θ２は角度θ１に近いため、小径の用紙ロール１４０を使用する場合でも、アーム１６０の取り付け位置を変更する等の作業は必要ではなく、面倒はない。
【００９６】
なお、本発明は、サーマルプリンタ装置に限らず、それ以外の形式のプリンタ装置にも適用可能である。
【００９７】
【発明の効果】
以上説明したように、請求項１の発明は、用紙ロールが収容される用紙ロール収容部と、
用紙ロール収容部に収容された用紙ロールから引き出されたロール紙に情報を印刷するプリンタ部と該プリンタ部から送り出された情報が印刷されたロール紙をカットするカッタ部とを有するプリンタユニットと、一端側に、該プリンタ機構部から送り出された情報が印刷されたカット紙を排出する第１のカット紙排出口を有し、反対側の端に、カット紙を排出し、回収箱に収める第２のカット紙排出口を有し、カット紙を第１、第２のカット紙排出口の間で搬送するカット紙搬送機構とを有するカット紙プレゼンタユニットとを有するプリンタ装置において、用紙ロール収容部とプリンタユニットとが横に並んで配置してあり、カット紙プレゼンタユニットは、上面側に、上記プリンタ機構部から送り出されたカット紙を受け入れるカット紙受け入れ口を有する構成であり、該カット紙受け入れ口を上記プリンタユニットに合わせて、上記横に並んで配置してある用紙ロール収容部及びプリンタユニットの下側に配置してあり、上記プリンタ部が上記ロール紙に情報を印刷している最中には、上記カット紙搬送機構は、該ロール紙を上記第２のカット紙排出口から排出させ上記回収箱に収めるように搬送する構成としたものであるため、カット紙プレゼンタユニットが横に並んで配置してある用紙ロール収容部及びプリンタユニットの下側に配置されたことによって、用紙ロール収容部とプリンタユニットとカット紙プレゼンタユニットとが一列に横に並んだ構成に比べて、プリンタ装置を、高さは増えるけれども、長さが相当に短くなって、全体として小型とすることが出来る。また、カット紙の長さがカット紙プレゼンタユニットの長さによって制約を受けなくなり、自由に長いカット紙を発行することが出来る。
【００９８】
また、カット紙プレゼンタユニットが横に並んで配置してある用紙ロール収容部及びプリンタユニットの下側に配置されたことによって、第１、第２のカット紙排出口のうち任意の一つを外部への排出口、他方を回収箱への排出口とすることが可能となり、プリンタ装置の端末装置内への組み込みが、二つの姿勢で可能となり、端末装置の設計の自由度を上げることが出来る。
【００９９】
請求項２の発明は、請求項１記載のプリンタ装置において、カット紙プレゼンタユニットは、その下面側に第３のカット紙排出口を有する構成であり、カット紙搬送機構は、切り換えられて、カット紙を、上記第３のカット紙排出口に案内するカット紙案内切り換え機構を有する構成としたものであるため、第１、第２、第３のカット紙排出口のうち任意の一つを外部への排出口、他方を回収箱への排出口とすることが可能となり、プリンタ装置の端末装置内への組み込みが、三つの姿勢で可能となり、端末装置の設計の自由度を更に上げることが出来る。
【０１００】
請求項３の発明は、請求項１または２記載のプリンタ装置において、用紙ロール収容部は、用紙ロールがそのロール紙が用紙ロールの下側から引き出されるように、且つ、大径の用紙ロール及び小径の用紙ロールが、ロール紙が用紙ロールの下側から引き出される位置が同じくなるように、用紙ロールの径に応じて高さ位置を変えて収容される構成であるため、収容された用紙ロールから引き出されたロール紙のロール紙引き込み負荷軽減機構に対する角度が、大径の用紙ロール収容した場合と、小径の用紙ロールを収容した場合とで略同じとなり、これによって、収容する用紙ロールの大きさに応じてロール紙引き込み負荷軽減機構の位置を調整する作業は必要でなくなり、取り扱いを簡単に出来る。しかも、どの大きさの用紙ロールが収容された場合でも、ロール紙引き込み負荷軽減機構は同様に動作し、ロール紙のプリンタ部への送りが安定して行われるように出来る。
【０１０１】
請求項４の発明は、請求項１乃至請求項３のうち何れか一項記載のプリンタ装置において、用紙ロール収容部は、一端が自由端であり、用紙ロールの中心孔を嵌合して支持する水平の支持軸を有する構成であり、用紙ロールが側面側から収容される構成としたものであるため、用紙ロールがプリンタ装置の側面側から用紙ロール収容部にセット可能となり、端末装置は上面側に用紙ロールをプリンタ装置にセットする作業を行うための部分が必要でなくなり、高さを低く出来る。
【０１０２】
請求項５の発明は、請求項１乃至請求項４のうち何れか一項記載のプリンタ装置において、用紙ロールは、感熱ロール紙が感熱面を外側面となるように巻いてある構成である感熱用紙ロールであり、且つ、上記用紙ロール収容部は、上記の感熱用紙ロールを、感熱ロール紙が感熱用紙ロールの下側から引き出されるように収容する構成であり、且つ、上記プリンタユニットのプリンタ部は、用紙ロール収容部内の感熱用紙ロールから引き出された感熱ロール紙の感熱面が対向するサーマルヘッドと、感熱面とは反対側の面に当接するプラテンローラとを有する構成であるようにしたものであるため、感熱用紙ロールから引き出された感熱ロール紙のカールのプリンタ部に対する状態は、感熱ロール紙の先端がサーマルヘッドから逃げる方向となる。よって、感熱ロール紙の先端のサーマルヘッドとプラテンローラとの間への挿入が容易になされるように出来る。
【０１０３】
請求項６の発明は、請求項１乃至請求項５のうち何れか一項記載のプリンタ装置を組み込んでなる構成としてなるものであるため、従来に比べて小型である端末装置が実現出来、また、端末装置の設計の自由度を高く出来る。
【図面の簡単な説明】
【図１】従来の１例のプリンタ装置を示す図である。
【図２】本発明の一実施例のレシート発行ラインサーマルプリンタ装置を示す図である。
【図３】図２のレシート発行ラインサーマルプリンタ装置を概略的に示す斜視図である。
【図４】図２のレシート発行ラインサーマルプリンタ装置を概略的に示す図である。
【図５】プレゼンタユニットを示す図である。
【図６】レシート案内切り換え機構を示す図である。
【図７】レシート発行ラインサーマルプリンタ装置のＡＴＭ装置本体内への組み込みの態様を示す図である。
【図８】レシート発行ラインサーマルプリンタ装置の動作を説明する図である。
【図９】レシート発行ラインサーマルプリンタ装置の動作時のモータ及びプランジャの動作を示す図である。
【図１０】用紙ロール収容部の構造を示す図である。
【図１１】ロール紙引き込み負荷軽減機構の構成及び動作を示す図である。
【図１２】レシート発行ラインサーマルプリンタ装置の組み込み姿勢毎の、設定回路のレシートの排出及び回収の設定を示す図である。
【符号の説明】
４０  レシート発行ラインサーマルプリンタ装置
５０  用紙ロール収容部
５１  用紙ロール支持軸
６０  プリンタユニット
６１  プリンタ部
６２  プラテンローラ
６３  サーマルヘッド
６４  用紙送りモータ
６５  カッタ部
６８  レシート送り出し口
６９  ロール紙引き込み負荷軽減機構
８０  プレゼンタユニット
８１  レシート受け入れ口
８２  第１のレシート排出口
８３  第２のレシート排出口
８４  第３のレシート排出口
８５  レシートガイド部
８６  第１のレシート搬送ベルト
８７  モータ
９５  第２のレシート搬送ベルト
１００  レシートガイド
１０２、１０４  レシート挟み部
１０６、１０７，１０８  光学式のレシート検出センサ
１１０  レシート案内切り換え機構
１１２  ガイド部材
１１３  プランジャ
１２０  ＡＴＭ装置本体
１２１  レシート発行口
１３０，１４０  感熱用紙ロール
１３１，１４１  感熱ロール紙
【図１】
0004667663.tif 000002
【図２】
0004667663.tif 000003
【図３】
0004667663.tif 000004
【図４】
0004667663.tif 000005
【図５】
0004667663.tif 000006
【図６】
0004667663.tif 000007
【図７】
0004667663.tif 000008
【図８】
0004667663.tif 000009
【図９】
0004667663.tif 000010
【図１０】
0004667663.tif 000011
【図１１】
0004667663.tif 000012
【図１２】
0004667663.tif 000013